(57)【要約】【課題】横ガゼットを備えた袋体において、自立安定性の向上と美観性を高め商品陳列のディスプレー効果を高揚した合成樹脂製袋体を提供する。【解決手段】表裏胴部フィルム１ａ、１ｂの両側にサイドシール５にて接着した横ガゼット４は底辺Ｂが底ガゼット８の折り込み幅Ｈの２倍の長さの三角形の頂点Ｐを袋体の開口部２側近傍のサイドから袋体底部に向かって出発し底ガゼット８の折り込み稜線８ａまで内方に傾斜角度θ１を持たせたＶ字状の第１折り込み稜線４ａと、横ガゼット４の底辺はＷ字状に折り込まれ、Ｗ字状折り込みの山折りは底ガゼット８の折り込み稜線８ａと平行な第２折り込み稜線４ｂを、谷折りは前記第１折り込み稜線４ａの底ガゼット８の折り込み稜線８ａに至る傾斜角度θ１端Ｑから袋体底のサイドに向かって外方に傾斜角度θ２を持たせた第３折り込み稜線４ｃを備え、内容物の充填により開口部２を頂点とする三角側面の角錐形態とした。【選択図】図１
2007326594.tif 000002
【特許請求の範囲】
【請求項１】
表裏２枚の胴部フィルムの両サイドに内方に向けてＶ字状に折り込んだ横ガゼットを接着し、前記胴部フィルムの下端に上方の開口部側に向けて逆Ｖ字状に折り込んだ底ガゼットを形成した合成樹脂製袋体において、
前記横ガゼットは底辺が前記底ガゼットの折り込み幅の２倍の長さの三角形であり、この三角形の頂点を袋体の開口部側近傍のサイドから袋体底部に向かって出発し前記底ガゼットの折り込み稜線まで内方に傾斜角度を持たせたＶ字状の第１折り込み稜線と、横ガゼットの底辺はＷ字状に折り込まれ、前記Ｗ字状折り込みの山折りは底ガゼットの折り込み稜線と平行な第２折り込み稜線を、谷折りは前記第１折り込み稜線の前記底ガゼットの折り込み稜線に至る傾斜角度端から袋体底のサイドに向かって外方に傾斜角度を持たせた第３折り込み稜線を備え、内容物の充填により開口部を頂点とする三角側面の角錐形態としたことを特徴とする合成樹脂製袋体。
【請求項２】
表裏２枚の胴部フィルムの両サイドに内方に向けてＶ字状に折り込んだ横ガゼットを接着し、開口部の内側に雌雄咬合型のチャックを設け、前記胴部フィルムの下端に上方の開口部側に向けて逆Ｖ字状に折り込んだ底ガゼットを形成した合成樹脂製袋体において、
前記横ガゼットは底辺が前記底ガゼットの折り込み幅の２倍の長さの三角形であり、この三角形の頂点を前記チャックの両側端から袋体底部に向かって出発し前記底ガゼットの折り込み稜線まで内方に傾斜角度を持たせたＶ字状の第１折り込み稜線と、横ガゼットの底辺はＷ字状に折り込まれ、前記Ｗ字状折り込みの山折りは底ガゼットの折り込み稜線と平行な第２折り込み稜線を、谷折りは前記第１折り込み稜線の前記底ガゼットの折り込み稜線に至る傾斜角度端から袋体底のサイドに向かって外方に傾斜角度を持たせた第３折り込み稜線を備え、内容物の充填により開口部を頂点とする三角側面の角錐形態としたことを特徴とする合成樹脂製袋体。
【発明の詳細な説明】
【技術分野】
【０００１】
本発明は、横ガゼットを備えた合成樹脂製袋体に関するものである。
【背景技術】
【０００２】
横ガゼットを備えた合成樹脂製袋体は周知であり、最も一般的なものは図６で示すように、表裏２枚の胴部フィルムの両サイドに長方形の横ガゼット４０を、その上端縁を開口部の内側まで位置して内方に向けてＶ字状に折り込み、このＶ字状に折り込み稜線４０ａが袋体のサイドと平行で接着し、横ガゼット４０の上端縁を袋体のトップシール５１とは別個にシール５０した構造である。
【０００３】
このような従来の横ガゼットを備えた袋体においては、内容物の充填により横ガゼットが開き、四角立方体となって自立の安定性を有するが、内容物によっては商品包装後の形状に不自然な膨らみが生じるため、重心が偏って転倒する不具合が生じている。また、袋体の開口部を開いた状態では、開口部の両側に横ガゼット４０の上端縁が袋体内方に突出するため、これが邪魔になり内容物を充填する際に内容物が横ガゼット４０の上端縁に当たって袋体の外側に零れ落ちたり、内容物の取り出しには内容物が横ガゼット４０に干渉してスムースな取り出しが得られない。
【０００４】
さらに、図７で示すように、内容物を包入しトップシール５１と横ガゼットの上端縁を別個にシール５０した袋体は、横ガゼット４０の上端縁が袋体開口部の両側でハの字状に開いた形態となり、美観を損ない商品陳列のディスプレー効果を低くしている。さらにまた、表裏の胴部フィルムは開口部から底部に向けて垂直面であるため、視線の角度によっては内容物の視認性を阻害するという問題を有している。
【特許文献１】特開２００１−２２５８４８公報
【特許文献２】特開２００１−２２５８４９公報
【発明の開示】
【発明が解決しようとする課題】
【０００５】
本発明は、横ガゼットを備えた袋体において、自立安定性の向上と美観性を高め商品陳列のディスプレー効果を高揚した合成樹脂製袋体を提供することである。
【課題を解決するための手段】
【０００６】
上記の課題を解決するための本発明は、請求項１に記載の通り、表裏２枚の胴部フィルムの両サイドに内方に向けてＶ字状に折り込んだ横ガゼットを接着し、前記胴部フィルムの下端に上方の開口部側に向けて逆Ｖ字状に折り込んだ底ガゼットを形成した合成樹脂製袋体において、前記横ガゼットは底辺が前記底ガゼットの折り込み幅の２倍の長さの三角形であり、この三角形の頂点を袋体の開口部側近傍のサイドから袋体底部に向かって出発し前記底ガゼットの折り込み稜線まで内方に傾斜角度を持たせたＶ字状の第１折り込み稜線と、横ガゼットの底辺はＷ字状に折り込まれ、前記Ｗ字状折り込みの山折りは底ガゼットの折り込み稜線と平行な第２折り込み稜線を、谷折りは前記第１折り込み稜線の前記底ガゼットの折り込み稜線に至る傾斜角度端から袋体底のサイドに向かって外方に傾斜角度を持たせた第３折り込み稜線を備え、内容物の充填により開口部を頂点とする三角側面の角錐形態としたことを特徴とするものである。
【０００７】
また、請求項２に記載の通り、表裏２枚の胴部フィルムの両サイドに内方に向けてＶ字状に折り込んだ横ガゼットを接着し、開口部の内側に雌雄咬合型のチャックを設け、前記胴部フィルムの下端に上方の開口部側に向けて逆Ｖ字状に折り込んだ底ガゼットを形成した合成樹脂製袋体において、
前記横ガゼットは底辺が前記底ガゼットの折り込み幅の２倍の長さの三角形であり、この三角形の頂点を前記チャックの両側端から袋体底部に向かって出発し前記底ガゼットの折り込み稜線まで内方に傾斜角度を持たせたＶ字状の第１折り込み稜線と、横ガゼットの底辺はＷ字状に折り込まれ、前記Ｗ字状折り込みの山折りは底ガゼットの折り込み稜線と平行な第２折り込み稜線を、谷折りは前記第１折り込み稜線の前記底ガゼットの折り込み稜線に至る傾斜角度端から袋体底のサイドに向かって外方に傾斜角度を持たせた第３折り込み稜線を備え、内容物の充填により開口部を頂点とする三角側面の角錐形態としたことを特徴とするものである。
【発明の効果】
【０００８】
本発明によると、内容物の充填により開口部を頂点とする三角側面の角錐形態となり袋体の底部に内容物の重量は開口部側の上方から底部に向けて収容面積が漸次増大するため、重心が底部に集中して自立安定性をより一層向上し商品陳列時における転倒などの不具合を解消する。また、横ガゼットの上端は袋体開口部近傍の両サイドに位置しているため、横ガゼットの上端縁が袋端内方に突出することがなく開口部は全幅に渡って開口した状態となり、内容物の出し入れに際し横ガゼットに干渉することがなく内容物をスムーズに出し入れすることができる。さらに、内容物の充填により、丁度合掌造りのような形態となって美観性を高め商品陳列のディスプレー効果を高揚する。さらにまた、表裏２枚の胴部フィルムは開口部から底部に向けて傾斜面を呈しているため、視線の角度に関係なく内容物の視認性を良好にしている等の効果を有している。
【発明を実施するための最良の形態】
【０００９】
以下本発明を実施するための最良の形態を図面に基づいて説明する。図１及び図２において、１ａは表胴部フィルムであり、１ｂは裏胴部フィルムでありサイドシール５されている。２は開口部、３は前記開口部３に沿って設けられた雌雄咬合型のチャック、６は前記チャック３の上方でチャック３と平行に線付けされた切り裂き予定線、７は前記切り裂き予定線と対応するよう両側又は片側端縁に設けられた開封用のノッチである。８は前記表胴部フィルム１ａ、裏胴部フィルム１ｂの下端に上方の開口部２側に向けて逆Ｖ字状に折り込んで形成された底ガゼットである。
【００１０】
前記底ガゼット８は、表胴部フィルム１ａと裏胴部フィルム１ｂ下端が連続した１枚のフィルムを上方の開口部３側に向けて逆Ｖ字状に折り込んで形成し、また、表胴部フィルム１ａと裏胴部フィルム１ｂとは別の底フィルムを上方の開口部３側に向けて逆Ｖ字状に折り込んで形成する。８ａは前記上方の開口部３側に向けて逆Ｖ字状に折り込んで形成した底ガゼット８の折り込み稜線である。
【００１１】
そこで、本発明の前記表胴部フィルム１ａと裏胴部フィルム１ｂの両側にサイドシール５にて接着した横ガゼット４は図３で示す三角形である。この横ガゼット４は底辺Ｂが前記底ガゼット８の折り込み幅Ｈの２倍の長さの三角形であり、この三角形の頂点Ｐを前記チャック３の両側端から袋体底部に向かって出発し前記底ガゼット８の折り込み稜線８ａまで内方に傾斜角度θ１を持たせたＶ字状の第１折り込み稜線４ａと、横ガゼット４の底辺は図４で示すように、Ｗ字状に折り込まれ、前記Ｗ字状折り込みの山折りは底ガゼット８の折り込み稜線８ａと平行な第２折り込み稜線４ｂを、谷折りは前記第１折り込み稜線４ａの前記底ガゼット８の折り込み稜線８ａに至る傾斜角度θ１端Ｑから袋体底のサイドに向かって外方に傾斜角度θ２を持たせた第３折り込み稜線４ｃを備えた構造である。尚、図略のチャック３を具備してない袋体においては、前記三角形の頂点Ｐは袋体の開口部２側近傍のサイドとなる。
【００１２】
袋底の面積は上記底ガゼット８の折り込み幅Ｈの長短で得られ、この底ガゼット８の折り込み幅Ｈの長短に対応して横ガゼット４の底辺Ｂは長短調整され、底ガゼット８の折り込み幅Ｈを長くした場合の横ガゼット４の第１折り込み稜線４ａの傾斜角度θ１と第３折り込み稜線４ｃの傾斜角度θ２は緩角度となり、ガゼット８の折り込み幅Ｈを短くした場合の横ガゼット４の第１折り込み稜線４ａの傾斜角度θ１と第３折り込み稜線４ｃの傾斜角度はθ２急角度となる。
【００１３】
本発明は上記の通りの構造であるから、図５で示すように、内容物の充填により丁度合掌造りのような開口部２を頂点とする三角側面の角錐形態となる。
【００１４】
従って、袋体の底部に内容物の重量は開口部２側の上方から底部に向けて収容面積が漸次増大するため、重心が底部に集中して自立安定性をより一層向上し商品陳列時における転倒などの不具合を解消するのである。
【００１５】
また、横ガゼット４の上端は袋体開口部２近傍の両サイドに位置しているため、横ガゼット４の上端縁が袋端内方に突出することがなく開口部２は全幅に渡って開口した状態となり、内容物の出し入れに際し横ガゼット４に干渉することがなく内容物をスムーズに出し入れすることができるのである。
【００１６】
さらに、前記のように内容物の充填により、丁度合掌造りのような形態となって美観性を高め商品陳列のディスプレー効果を高揚するとともに、表裏胴部フィルム１ａ、１ｂは開口部２から底部に向けて傾斜面を呈しているため、視線の角度に関係なく内容物の視認性を良好にしているのである。
【００１７】
また、開口部２を頂点とする三角側面の角錐形態となるため、内容物の充填時において袋内にエアを充満させることがスムーズになり、自動充填ミスが発生し難くなる。
【００１８】
図示のチャック３を具備している袋体においては。開口部２を頂点とする三角側面の角錐形態となるため、内容物が重量物であっても袋体内にデッドゾーンが生じないため、袋体内の内圧が均一になり破袋し難い。従って、フイルム厚を薄手のものを使用することができ製造コストを低減する利点がある。
【００１９】
さらに、従来タイプの横ガゼットを備えたチャック付袋体では、袋体内に折り込まれて接着された横ガゼットの上端縁がデッドゾーンを生じさせて隠れる形態となるため、横ガゼットに印刷表示を施しても前記デッドゾーン部分により隠蔽されるので印刷スペースが限られていたが、本発明による三角形の横ガゼット４によると、チャック３を具備した袋体においては、横ガゼット４がチャック３の両側端を起点として三角形状に底部まで広がって露呈する形態となり、前記デッドゾーン部分を生じることがなくなるため、この横ガゼット４の部分へ施した印刷表示が有効に活用することができ、商品陳列のディスプレー効果を一層高めることができる。
【００２０】
尚、上記実施例では、開口部２にチャック３を設けた形態で説明したが、チャック３を備えていない袋体にも本発明を適用することができることを付言する。
【図面の簡単な説明】
【００２１】
【図１】本発明による袋体の正面図
【図２】図１において表側の胴部フィルムを除外して袋体内部を示す図
【図３】横ガゼットの正面図
【図４】袋体の底を半開きした側面を示す斜視図
【図５】本発明による袋体の膨満状態の斜視図
【図６】従来一般的な横ガゼット付き袋体の正面図
【図７】図６の袋体の膨満状態の斜視図
【符号の説明】
【００２２】
１ａ    表胴部フィルム
１ｂ    裏胴部フィルム
２      開口部
３      チャック
４      横ガゼット
４ａ    第１折り込み稜線
４ｂ    第２折り込み稜線
４ｃ    第３折り込み稜線
５      サイドシール
６      切り裂き予定線
７      ノッチ
８      底ガゼット
８ａ    底ガゼットの折り込み稜線
【図１】
2007326594.tif 000003
【図２】
2007326594.tif 000004
【図３】
2007326594.tif 000005
【図４】
2007326594.tif 000006
【図５】
2007326594.tif 000007
【図６】
2007326594.tif 000008
【図７】
2007326594.tif 000009